(57)【要約】【課題】配線数を低減するとともに、組立作業効率を向上させることができる硬貨払出装置を提供する。【解決手段】硬貨払出機構２３を駆動制御する制御基板の一方面には、硬貨収容筒２２内の硬貨の有無を検出する複数個の硬貨検出センサ７１を、各硬貨収容筒２２に設けられたセンサ挿入孔３３に対応するように設けるようにした。そして、制御基板２４は、硬貨検出センサ７１が設けられた一方面を各硬貨収容筒２２側に向けるとともに、各硬貨検出センサ７１を各センサ挿入孔３３に一括して挿入した状態で各硬貨収容筒２２に固定するようにした。このため、各硬貨検出センサ７１からそれぞれ配線を引き出す必要がないので、それらの配線スペースを確保する必要がない。また、それら配線を、手作業による半田付け等によって硬貨検出センサ及び制御基板にそれぞれ接続する必要もない。【選択図】図２
2007183760.tif 000002
【特許請求の範囲】
【請求項１】
硬貨を金種別に積み重ねた状態で収容する複数個の硬貨収容筒が一列に並べられた状態で設けられるとともに、各硬貨収容筒の下方に配置された硬貨払出機構の作動により各硬貨収容筒の最下部の硬貨を一枚ずつ払い出すようにした硬貨払出装置において、
前記硬貨払出機構を駆動制御する制御基板を備えるとともに、当該制御基板の一方面には硬貨収容筒内の硬貨の有無を検出する複数個の硬貨検出センサを各硬貨収容筒に設けられたセンサ装着部位に対応するように設け、
前記制御基板は、硬貨検出センサが設けられた一方面を各硬貨収容筒側に向けるとともに、各硬貨検出センサを各硬貨収容筒のセンサ装着部位に一括して装着した状態で各硬貨収容筒に固定するようにした硬貨払出装置。
【請求項２】
請求項１に記載の硬貨払出装置において、
前記制御基板は、各硬貨収容筒に対応する部位においてそれぞれ固定するようにした硬貨払出装置。
【請求項３】
請求項１又は請求項２に記載の硬貨払出装置において、
各硬貨収容筒の基部にはフランジを設けるとともに、各硬貨収容筒は前記硬貨払出機構の枠体壁に設けられた筒装着部位に位置決め状態で配置するようにし、当該位置決め状態の各硬貨収容筒のフランジをブラケットにより前記枠体壁の外面に押さえ付けることにより各硬貨収容筒を当該枠体壁に一括して固定するようにした硬貨払出装置。
【請求項４】
請求項１〜請求項３のうちいずれか一項に記載の硬貨払出装置において、
前記制御基板の硬貨検出センサが設けられた一方面と反対側の他方面には、硬貨収容筒から硬貨が払い出される度に当該硬貨により押圧されて動作するレバーを各硬貨収容筒に対応して設けるとともに、各レバーの動作を検出する払出検出センサを各レバーに対応して設けるようにした硬貨払出装置。
【請求項５】
請求項１〜請求項４のうちいずれか一項に記載の硬貨払出装置において、
各硬貨収容筒には、それらの側方に配置される硬貨識別装置により硬貨が金種毎に分離されて供給されるとともに、前記制御基板は、各硬貨収容筒の前記硬貨識別装置と反対側の側部に固定するようにした硬貨払出装置。
【発明の詳細な説明】
【技術分野】
【０００１】
本発明は、例えばワンマンバスの運賃箱に搭載される硬貨払出装置に関するものである。
【背景技術】
【０００２】
従来、例えばワンマンバスの運賃箱においては、投入口から投入された券類と硬貨とが券銭分離手段により分離されるとともに、その分離された硬貨は硬貨識別手段により金種別に分離される。当該硬貨識別手段からの硬貨は、釣り銭を払い出すための硬貨払出装置に供給される。この硬貨払出装置としては、例えば特許文献１に記載される構成が知られている。即ち、この硬貨識別装置は、複数個の硬貨収容筒を備えるとともに、各硬貨収容筒には前記硬貨識別手段から供給される硬貨が金種毎に蓄積される。釣り銭を払い出す場合には、制御手段からの制御信号に基づいて硬貨払出機構が作動されることにより、各硬貨収容筒に蓄積された硬貨が、釣り銭の額に応じて組み合わせられて払い出される。
【０００３】
各硬貨収容筒の上部及び下部の２箇所、収容する硬貨の種類によっては上部、中間部及び下部の３箇所には、硬貨検出センサがそれぞれ設けられるとともに、当該硬貨検出センサにより、硬貨収容筒内の硬貨の蓄積量が検出される。即ち、硬貨収容筒の上部に設けられた硬貨検出センサにより、当該硬貨収容筒が満杯になったことが検出された場合、当該検出信号に基づいて、制御手段は、硬貨識別手段からの硬貨が運賃箱金庫に供給されるように硬貨の供給経路を切り替える。一方、硬貨収容筒の下部及び中間部に設けられた硬貨検出センサは、例えばワンマンバスの運行終了後に、最終的に硬貨収容筒内に残しておく硬貨の量に対応するように設けられている。即ち、運賃箱に多額の硬貨を残すことは、防犯上好ましくないため、ワンマンバスの運行終了後には必要最低限の硬貨を残して、硬貨収容筒内の硬貨を運賃箱内の金庫に回収するようにされている。そして、この必要最低限の硬貨の蓄積量を、硬貨収容筒の下部、及び中間部に設けられた硬貨検出センサにより検出するようにされている。具体的には、硬貨収容筒の下部に設けられた硬貨検出センサにより、当該硬貨収容筒が空になった状態（正確には、下部の硬貨検出センサにより硬貨が検出されなくなる所定枚数以下になった状態）が検出されるとともに、硬貨収容筒の中間部に設けられた硬貨検出センサにより、当該硬貨収容筒の半回収状態が検出される。
【特許文献１】特開平７−３７１３６号公報
【発明の開示】
【発明が解決しようとする課題】
【０００４】
ところが、前記従来の硬貨払出装置には次のような問題があった。即ち、前記硬貨検出センサとしては、例えば発光素子と受光素子とがそれぞれ個別にケースに組み込まれた分離型のフォトセンサ（処理回路基板を含む。）が使用されていた。この分離型のフォトセンサは、各硬貨収容筒において、発光側と受光側とを互いに対向するように配置されるとともに、発光側から受光側へ向かう光が遮られているかどうかにより硬貨の有無を検出するようになっていた。そして、この分離型のフォトセンサにおいては、発光側及び受光側からそれぞれ２本の配線が引き出されて前記制御手段に接続されていた。このため、硬貨収容筒の上部及び下部の２箇所に硬貨検出センサが設けられる場合には４本の配線を引き出す必要があるとともに、同じく上部、中間部及び下部の３箇所に硬貨検出センサが設けられる場合には６本の配線を引き出す必要があった。このように多数の配線を、硬貨払出装置と前記制御手段との間において配設するための配線スペースを運賃箱内に確保する必要があった。
【０００５】
近年では、車両内における通路スペースを確保するために、運賃箱の小型化（特に、薄型化）が要望されている。その一方で、運賃箱には、例えば非接触ＩＣカードシステムが組み込まれる等、運賃箱はますます多機能化の傾向にある。このため、運賃箱の内部スペースをいかに確保するかが、重要な問題となっている。さらに分離型のフォトセンサにおいて、前記多数の配線はそれぞれ１本１本手作業による半田付けにより接続されていた。このため、半田付け作業が非常に煩雑であるとともに、硬貨払出装置の組立作業効率の低下の一因となっていた。
【０００６】
本発明は上記問題点を解決するためになされたものであって、その目的は、配線数を低減するとともに、組立作業効率を向上させることができる硬貨払出装置を提供することにある。
【課題を解決するための手段】
【０００７】
請求項１に記載の発明は、硬貨を金種別に積み重ねた状態で収容する複数個の硬貨収容筒が一列に並べられた状態で設けられるとともに、各硬貨収容筒の下方に配置された硬貨払出機構の作動により各硬貨収容筒の最下部の硬貨を一枚ずつ払い出すようにした硬貨払出装置において、前記硬貨払出機構を駆動制御する制御基板を備えるとともに、当該制御基板の一方面には硬貨収容筒内の硬貨の有無を検出する複数個の硬貨検出センサを各硬貨収容筒に設けられたセンサ装着部位に対応するように設け、前記制御基板は、硬貨検出センサが設けられた一方面を各硬貨収容筒側に向けるとともに、各硬貨検出センサを各硬貨収容筒のセンサ装着部位に一括して装着した状態で各硬貨収容筒に固定するようにしたことをその要旨とする。
【０００８】
この構成によれば、硬貨検出センサから配線を引き出す必要がないので、それらの配線スペースを確保する必要がない。また、それら配線を、手作業による半田付け等によって硬貨検出センサ及び制御基板にそれぞれ接続する必要もない。このため、硬貨払出装置の組立作業効率が向上する。
【０００９】
請求項２に記載の発明は、請求項１に記載の硬貨払出装置において、前記制御基板は、各硬貨収容筒に対応する部位においてそれぞれ固定するようにしたことをその要旨とする。
【００１０】
この構成によれば、各硬貨収容筒は制御基板により連結される。このため、各硬貨収容筒間を連結するための手段を別途設けるようにした場合と異なり、硬貨払出装置の部品点数が抑制されるとともに、当該硬貨払出装置の組立作業効率が向上する。
【００１１】
請求項３に記載の発明は、請求項１又は請求項２に記載の硬貨払出装置において、各硬貨収容筒の基部にはフランジを設けるとともに、各硬貨収容筒は前記硬貨払出機構の枠体壁に設けられた筒装着部位に位置決め状態で配置するようにし、当該位置決め状態の各硬貨収容筒のフランジをブラケットにより前記枠体壁の外面に押さえ付けることにより各硬貨収容筒を当該枠体壁に一括して固定するようにしたことをその要旨とする。
【００１２】
この構成によれば、各硬貨収容筒を個別に固定するようにした場合と異なり、硬貨払出装置の組立作業効率が向上する。
請求項４に記載の発明は、請求項１〜請求項３のうちいずれか一項に記載の硬貨払出装置において、前記制御基板の硬貨検出センサが設けられた一方面と反対側の他方面には、硬貨収容筒から硬貨が払い出される度に当該硬貨により押圧されて動作するレバーを各硬貨収容筒に対応して設けるとともに、各レバーの動作を検出する払出検出センサを各レバーに対応して設けるようにしたことをその要旨とする。
【００１３】
この構成によれば、制御基板は、レバーの動作を検出することにより、硬貨の払い出し枚数を求めることが可能となる。また、払出検出センサを例えば硬貨収容筒等に設けるようにした場合と異なり、当該払出検出センサから制御基板への配線が不要となる。このため、払出検出センサからの配線スペースを確保する必要がない。また、当該配線を、手作業による半田付け等によって払出検出センサ及び制御基板にそれぞれ接続する必要もない。従って、硬貨払出装置の組立作業効率が向上する。
【００１４】
請求項５に記載の発明は、請求項１〜請求項４のうちいずれか一項に記載の硬貨払出装置において、各硬貨収容筒には、それらの側方に配置される硬貨識別装置により硬貨が金種毎に分離されて供給されるとともに、前記制御基板は、各硬貨収容筒の前記硬貨識別装置と反対側の側部に固定するようにしたことをその要旨とする。
【００１５】
この構成によれば、制御基板が硬貨識別装置に干渉するおそれはない。
【発明の効果】
【００１６】
本発明によれば、配線数を低減するとともに、組立作業効率を向上させることができる。
【発明を実施するための最良の形態】
【００１７】
以下、本発明を、例えばワンマンバスの運賃箱に搭載される硬貨払出装置に具体化した一実施の形態を図１〜図８基づいて説明する。
＜運賃箱の概要＞
まず、運賃箱の概要について説明する。図１に示すように、運賃箱１１の筐体１２の上部には、運賃としての硬貨Ｃ並びに整理券及び回数券等の券類Ｔが投入される投入口１３が設けられている。この投入口１３に投入された硬貨Ｃ及び券類Ｔは、当該投入口１３の直下に配置された券銭分離装置１４により分離される。この券銭分離装置１４により分離された券類は、図示しない通路を介して図示しない金庫の券類収容室に収容される。一方、券銭分離装置１４により分離された硬貨Ｃは硬貨識別装置１５により金種（１０円、５０円、１００円及び５００円）が識別される。硬貨識別装置１５により識別処理後の硬貨Ｃの一部は、硬貨払出装置１６の硬貨収容部１６ａに金種別に振り分けられて収容されるとともに、残りの硬貨Ｃは図示しない通路を介して前記金庫の硬貨収容室に収容される。釣り銭が必要とされる場合には、硬貨払出装置１６から釣り銭の金額に応じて硬貨Ｃが払い出されるとともに、この払い出された硬貨Ｃは搬送装置（ベルトコンベヤ）１７により、運賃箱１１の外面に設けられた硬貨排出口１８に供給される。
【００１８】
＜硬貨払出装置＞
次に、硬貨払出装置について詳細に説明する。図２に示すように、硬貨払出装置１６は、運賃箱１１の筐体１２に固定される四角枠状の枠体２１と、当該枠体２１の上面に一列に並ぶように固定されるとともに硬貨収容部１６ａを構成する４つの硬貨収容筒２２と、各硬貨収容筒２２に対応するように枠体２１内に設けられる硬貨払出機構２３とを備えている。また、硬貨払出装置１６は、各硬貨収容筒２２の側部に固定されるとともに硬貨払出機構２３を駆動制御する制御基板２４を備えている。なお、図２に二点鎖線で示されるように、各硬貨収容筒２２の側方には硬貨識別装置１５が各硬貨収容筒２２の延びる方向に対して所定角度をなすように斜状に配置される。また、図２に二点鎖線で示されるように、各硬貨払出機構２３の硬貨識別装置１５とは反対側の側方下部には搬送装置１７が配置される。
【００１９】
＜硬貨収容筒＞
硬貨収容筒２２は、遮光体、即ち可視光に対する遮光性を得るために例えば黒色に着色された合成樹脂材料により一体形成されている。図３に示すように、硬貨収容筒２２は、両端が開口した筒本体３１と、当該筒本体３１の下部に形成された四角環状のフランジ３２とを備えている。
【００２０】
筒本体３１のフランジ３２よりも上側の外周面において、上部、下部及びそれらの部位の中間部には、３つのセンサ挿入孔３３が当該筒本体３１の中心軸に沿うように一列に配置形成されている。また、筒本体３１の外周面において、上部、下部及びそれらの部位の中間部には、それぞれ２つを１組とする雌ねじ部３４が突設されている。各組を構成する２つの雌ねじ部３４の中間に各センサ挿入孔３３が位置するように、各雌ねじ部３４は配置されている。さらに、硬貨収容筒２２の外周面には、２つの突部３５ａ，３５ｂが、センサ挿入孔３３に対する挿入方向及び雌ねじ部３４の突出方向に対して直交する方向へ延びるように形成されている。２つの突部３５ａ，３５ｂのうちの一方には位置決め突部３６が形成されるとともに、他方には位置決め凹部３７が形成されている。
【００２１】
図４に示すように、各硬貨収容筒２２は、枠体２１の長方形状の上壁２１ａに所定間隔毎に形成された４つの挿通孔４１に上方から挿入されている。硬貨収容筒２２の挿通孔４１に対する挿入方向への移動は、フランジ３２の下面が上壁２１ａの上面に当接することにより規制される。この状態において、硬貨収容筒２２の下端面は上壁の内面と面一となるように、フランジ３２の筒本体３１の軸線方向における位置が設定されている。また、各硬貨収容筒２２を枠体２１の各挿通孔４１に挿入した状態において、互いに隣り合う硬貨収容筒２２の位置決め突部３６と位置決め凹部３７とは互いに嵌合している。これにより、各硬貨収容筒２２の間隔が一定に保たれるとともに、各硬貨収容筒２２の上下方向及び左右方向における位置決めがなされる。
【００２２】
また、上壁２１ａの各挿通孔４１に挿入状態で位置決めされた各硬貨収容筒２２は、それらのフランジ３２がブラケット４２により上方から押さえ付けられることにより、上壁２１ａの外面に一括して固定されている。ブラケット４２は、板材がコの字状に屈曲されることにより形成されている。ブラケット４２の互いに対向する２つの側壁の下部には、それぞれ固定片４３が外方へ折り曲げ形成されるとともに、当該固定片４３にはボルト挿通孔４３ａが形成されている。ブラケット４２は、各硬貨収容筒２２を囲うように各フランジ３２の上面間に載置されるとともに、固定片４３の上方からボルト４４を挿通して上壁２１ａに締め付けることにより固定されている。ボルト４４の締め付けに伴いフランジ３２は上壁２１ａの外面に押し付けられる。
【００２３】
４つの硬貨収容筒２２には、それぞれ１０円硬貨、５０円硬貨、１００円硬貨及び５００円硬貨が、硬貨識別装置１５により振り分けられて収容される。硬貨識別装置１５により供給された硬貨Ｃは、対応する金種の硬貨収容筒２２の上部開口部から供給されるとともに、当該硬貨収容筒２２内において積み重ねられた状態で収容される。
【００２４】
図５に示すように、枠体２１の上壁２１ａの内面には、複数のスペーサ５２が各挿通孔４１を間に挟むように固定されるとともに、各スペーサ５２の下面にはそれぞれ板状のガイド部材５３が固定されている。スペーサ５２の厚みは、各硬貨収容筒２２に収容される硬貨Ｃのうち最も厚みの大きい硬貨Ｃの厚みよりも若干大きく設定されている。また、各ガイド部材５３は、互いに隣り合うガイド部材５３間に若干隙間が形成されるように配置されるとともに、当該隙間はガイド溝５４として機能する。各硬貨収容筒２２に収容される硬貨Ｃのうち最下部の硬貨Ｃは、各硬貨収容筒２２の下端開口部内を臨む２つのガイド部材５３の上面間に落下して載置される。
【００２５】
＜硬貨払出機構＞
図５に示すように、枠体２１内には、４つの硬貨払出機構２３が、各硬貨収容筒２２と対応するように設けられている。図６に併せて示すように、硬貨払出機構２３は、図示しないモータに作動連結されるとともに、独立して動作するように構成された硬貨押出部材６１を備えている。硬貨押出部材６１はガイド溝５４に沿うように移動可能に設けられている。硬貨押出部材６１の先端部は、上壁２１ａの内面及び硬貨収容筒２２の下端面に干渉しないように設けられるとともに、２つのガイド部材５３間に載置された硬貨Ｃに係合可能となるように設けられている。
【００２６】
そして、前記モータの駆動により、硬貨押出部材６１は、図６に実線で示す押出待機位置と、同じく二点鎖線で示す押出位置との間を移動する。押出待機位置は、硬貨Ｃを払い出さない通常時における硬貨押出部材６１の位置であるとともに、硬貨押出部材６１の先端部がガイド溝５４の後端側（図６における右側）、具体的には２つのガイド部材５３間に載置された硬貨Ｃよりも後方にある位置である。押出位置は、硬貨収容筒２２の最下部の硬貨Ｃを押し出す位置であるとともに、硬貨押出部材６１の先端部がガイド溝５４の前端側にある位置である。
【００２７】
硬貨押出部材６１が押出待機位置から押出位置へ向かって移動すると、２つのガイド部材５３の上面間に載置された硬貨Ｃに硬貨押出部材６１が係合するとともに、当該硬貨押出部材６１により硬貨Ｃは押されて２つのガイド部材５３の上面から外方へ投げ出される。当該投げ出された硬貨Ｃは、２つのガイド部材５３の硬貨Ｃが放出される側の端部の斜め下方に配置された搬送装置１７の搬送面上に落下して、硬貨排出口１８へ送られる。
【００２８】
＜制御基板＞
図７に示すように、各硬貨収容筒２２の側部には、各硬貨払出機構２３を駆動制御する制御基板２４が固定されている。図２に併せて示すように、制御基板２４には、１６個のボルト挿通孔２４ａが縦横に所定間隔をおいて配置形成されている。各ボルト挿通孔４３ａは、上壁２１ａに立設された４つの硬貨収容筒２２の雌ねじ部３４に対応している。また、制御基板２４の一方面には、硬貨収容筒２２内の硬貨Ｃの有無を検出する複数個（本実施形態では、９個）の硬貨検出センサ７１が縦横に所定間隔をおいて設けられている。各硬貨検出センサ７１は、上壁２１ａに立設された４つの硬貨収容筒２２のセンサ挿入孔３３に対応している。
【００２９】
本実施の形態において、硬貨検出センサ７１としては、反射型のフォトセンサが使用されている。この反射型のフォトセンサは、発光素子と受光素子とが単一のケースに組み込まれたものであるとともに、両素子の発光面と受光面とは検出体である硬貨Ｃに向き合う方向に配置されている。硬貨収容筒２２内において、硬貨検出センサ７１に対応する位置まで硬貨Ｃが蓄積されている場合には、発光素子から照射された光が硬貨Ｃにより反射されるとともに、当該反射光を受光素子により受けることにより硬貨Ｃの存在が検出される。硬貨収容筒２２内において、硬貨検出センサ７１に対応する位置まで硬貨Ｃが蓄積されていない場合には、発光素子から照射された光が硬貨Ｃにより反射されることがないので、受光素子からは何ら検出信号は出力されない。これにより、硬貨Ｃが存在しないことが検出される。各硬貨検出センサ７１の検出信号は制御基板２４へ送られる。
【００３０】
このような硬貨検出センサ７１を、各硬貨収容筒２２の上部及び下部に、又は上部、下部及びそれらの中間部に設けることにより、各硬貨収容筒２２内の硬貨Ｃの蓄積量を検出することが可能となる。即ち、硬貨収容筒２２の上部に設けられた硬貨検出センサ７１は、当該硬貨収容筒２２が満杯になった状態を検出する。また、硬貨収容筒２２の下部及び中間部に設けられた硬貨検出センサ７１は、例えばワンマンバスの運行終了後に、最終的に硬貨収容筒２２内に残しておく硬貨Ｃの量に対応するように設けられている。即ち、運賃箱に多額の硬貨Ｃを残すことは、防犯上好ましくないため、ワンマンバスの運行終了後には必要最低限の硬貨Ｃを残して、硬貨収容筒２２内の硬貨Ｃを運賃箱１１内の金庫に回収するようにしている。そして、硬貨収容筒２２の中間部に設けられた硬貨検出センサ７１は、硬貨収容筒２２内に残す必要最低限の硬貨Ｃの蓄積量、換言すれば、当該硬貨収容筒２２の半回収状態を検出する。また、硬貨収容筒２２の下部に設けられた硬貨検出センサ７１は、当該硬貨収容筒２２が空になった状態（正確には、下部の硬貨検出センサ７１により硬貨Ｃが検出されなくなる所定枚数以下になった状態）を検出する。
【００３１】
本実施の形態では、１０円硬貨、５０円硬貨及び５００円硬貨が蓄積される３つの硬貨収容筒２２には、その上部及び下部の２箇所に硬貨検出センサ７１が設けられるとともに、１００円硬貨が蓄積される硬貨収容筒２２には、その上部、下部及びそれらの中間部の３箇所に硬貨検出センサ７１が設けられる。即ち、１０円硬貨、５０円硬貨及び５００円硬貨については、満杯状態及び空状態の２つの状態が検出されるとともに、１００円硬貨については、満杯状態、空状態及び半回収状態の３つの状態が検出される。１００円硬貨の半回収状態は、例えばワンマンバスの運行終了後に、最終的に硬貨収容筒２２内に残しておく量の硬貨Ｃが蓄積された状態をいう。
【００３２】
そして、制御基板２４は、硬貨検出センサ７１が設けられた一方面を各硬貨収容筒２２側に向けるとともに、各硬貨検出センサ７１を各硬貨収容筒２２のセンサ挿入孔３３に一括して装着した状態に配置される。この状態において、各ボルト挿通孔２４ａにボルト７２を外方から挿入して硬貨収容筒２２の雌ねじ部３４に締め付けることにより、制御基板２４は各硬貨収容筒２２に固定されている。このように、制御基板２４は、各硬貨収容筒２２に対応する部位においてそれぞれ固定されている。換言すれば、各硬貨収容筒２２は、制御基板２４により相互に連結されている。なお、本実施の形態において、硬貨収容筒２２の片側（図７における左側）の雌ねじ部３４は使用されない。
【００３３】
＜払出検出センサ＞
図７に示すように、制御基板２４の硬貨検出センサ７１が設けられた一方面と反対側の他方面における下部には、４つの払出検出センサ７３が各硬貨収容筒２２に対応するように設けられている。本実施の形態において、払出検出センサ７３としては、フォトインタラプタが使用されている。このフォトインタラプタは、発光素子と受光素子とが単一のケースに組み込まれるとともに、対向して配置された両素子間を検出体が通過して光を遮ることにより物体の検出を行う。各払出検出センサ７３の検出信号は制御基板２４へ送られる。
【００３４】
また、制御基板２４の前記他方面における各払出検出センサ７３の近傍には、４つの支持部材７４が設けられている。図８に併せて示すように、各支持部材７４には、くの字状のレバー７５がその中央付近に設けられた軸７６を中心として回動可能に支持されている。レバー７５は、図８に実線で示す通常位置と、同じく二点鎖線で示す払出位置との間を移動する。レバー７５は軸７６に装着された図示しない捻りコイルばねの弾性力により通常位置を保つように常時付勢されている。
【００３５】
通常位置は、レバー７５の下端が硬貨Ｃの払い出し経路上に位置して硬貨押出部材６１により押し出される硬貨Ｃが係合可能となるとともに、レバー７５の上端が払出検出センサ７３の発光素子と受光素子との間に介在しない位置である。そして、レバー７５が通常位置に保持された状態で、硬貨収容筒２２から硬貨Ｃが払い出されたとき、レバー７５は硬貨Ｃにより押圧されるとともに、前記捻りコイルばねの弾性力に抗して右回動して前記払出位置に至る。この払出位置は、レバー７５の上部が払出検出センサの発光素子と受光素子との間に介在する位置である。硬貨収容筒２２の最下部の硬貨Ｃが払い出されると、レバー７５は前記捻りコイルばねの弾性力により通常位置へ復帰する。即ち、レバー７５は、硬貨Ｃが払い出される度に通常位置と払出位置との間を移動する。従って、制御基板２４は、各払出検出センサ７３により検出されたレバー７５の動作回数に基づいて、各硬貨収容筒２２からの硬貨Ｃの払い出し枚数を求めることが可能となる。
【００３６】
＜硬貨払出装置の動作＞
次に、前述のように構成した硬貨払出装置の動作を説明する。運賃箱１１の投入口１３に運賃として投入された券類Ｔ及び硬貨Ｃは、券銭分離装置１４により券類Ｔと硬貨Ｃとに分離される。この分離された券類Ｔは図示しない通路を通って図示しない金庫の券類収容室に収容されるとともに、同じく分離された硬貨Ｃは硬貨識別装置１５に送られる。この硬貨識別装置１５に送られてきた硬貨Ｃは金種別に選別されるとともに、硬貨払出装置１６の４つの硬貨収容筒２２に金種別に収容される。
【００３７】
硬貨収容筒２２の上部に設けられた硬貨検出センサ７１により当該硬貨収容筒２２が満杯になったことが検出されると、制御基板２４により硬貨Ｃの図示しない通路が硬貨払出装置１６から前記金庫へ切り替えられて、当該金庫の硬貨収容室に収容される。釣り銭が必要とされる場合には、各硬貨収容筒２２から釣り銭の金額に応じて硬貨Ｃが払い出されるように、制御基板２４は硬貨払出機構２３を駆動制御する。その払い出された硬貨Ｃは搬送装置１７により硬貨排出口１８へ搬送される。
【００３８】
＜実施の形態の効果＞
従って、本実施形態によれば、以下の効果を得ることができる。
（１）硬貨払出機構２３を駆動制御する制御基板の一方面には、硬貨収容筒２２内の硬貨Ｃの有無を検出する複数個の硬貨検出センサ７１を、各硬貨収容筒２２に設けられたセンサ装着部位であるセンサ挿入孔３３に対応するように設けるようにした。そして、制御基板２４は、硬貨検出センサ７１が設けられた一方面を各硬貨収容筒２２側に向けるとともに、各硬貨検出センサ７１を各センサ挿入孔３３に一括して挿入した状態で各硬貨収容筒２２に固定するようにした。
【００３９】
このため、各硬貨検出センサ７１からそれぞれ配線を引き出す必要がないので、それらの配線スペースを確保する必要がない。また、それら配線を、手作業による半田付け等によって硬貨検出センサ及び制御基板にそれぞれ接続する必要もない。このため、硬貨払出装置１６の組立作業効率を向上させることができる。
【００４０】
（２）制御基板２４は、各硬貨収容筒２２に対応する部位においてそれぞれ固定するようにした。即ち、各硬貨収容筒２２は制御基板２４により相互に連結される。このため、各硬貨収容筒２２間を連結するための手段を別途設けるようにした場合と異なり、硬貨払出装置１６の部品点数が抑制されるとともに、当該硬貨払出装置１６の組立作業効率を向上させることができる。
【００４１】
（３）各硬貨収容筒２２の基部にはフランジ３２を設けるとともに、各硬貨収容筒２２は硬貨払出機構２３の上壁２１ａに設けられた挿通孔４１に位置決め状態で配置するようにした。そして、当該位置決め状態の各硬貨収容筒２２のフランジ３２をブラケット４２により上壁２１ａの外面に押さえ付けることにより、各硬貨収容筒２２を当該上壁２１ａに一括して固定するようにした。
【００４２】
このため、各硬貨収容筒２２を個別に固定するようにした場合と異なり、硬貨払出装置１６の組立作業効率を向上させることができる。
（４）制御基板２４の硬貨検出センサ７１が設けられた一方面と反対側の他方面には、硬貨収容筒２２から硬貨Ｃが払い出される度に当該硬貨Ｃにより押圧されて動作するレバー７５を各硬貨収容筒２２に対応して設けるようにした。また、制御基板２４の前記他方面には、各レバー７５の動作を検出する払出検出センサ７３を各レバー７５に対応して設けるようにした。
【００４３】
このため、制御基板２４は、レバー７５の動作を検出することにより、硬貨Ｃの払い出し枚数を求めることが可能となる。また、払出検出センサ７３を例えば硬貨収容筒２２等に設けるようにした場合と異なり、当該払出検出センサ７３から制御基板２４への配線が不要となる。このため、払出検出センサ７３からの配線スペースを確保する必要がない。また、当該配線を、手作業による半田付け等によって払出検出センサ７３及び制御基板２４にそれぞれ接続する必要もない。従って、硬貨払出装置１６の組立作業効率を向上させることができる。
【００４４】
（５）制御基板２４を硬貨払出装置１６に組み込むようにしたことにより、当該硬貨払出装置１６単体で検査等を行うことができる。硬貨払出装置１６を含め運賃箱１１の各装置を単一の制御手段により集中的に制御するようにした場合には、硬貨払出装置１６を前記集中制御する制御手段に接続して検査等を行う必要がある。
【００４５】
（６）各硬貨収容筒２２には、それらの側方に配置される硬貨識別装置１５により硬貨Ｃが金種毎に分離されて供給されるとともに、制御基板２４は、各硬貨収容筒２２の硬貨識別装置１５と反対側の側部に固定するようにした。このため、制御基板２４が硬貨識別装置１５に干渉するおそれはない。
【００４６】
（７）硬貨検出センサ７１として、反射式のフォトセンサを採用した。硬貨検出センサ７１を制御基板２４の一方面に設けて当該制御基板２４ごと、硬貨収容筒２２に固定する構成を採用する上で好適なセンサである。これは、反射型のフォトセンサであれば、検出体に対して一方向から対面状態に配置すればよいからである。
【００４７】
（８）硬貨収容筒２２を遮光体により形成するようにした。このため、硬貨検出センサ７１による硬貨Ｃの検出が正確に行われる。反射型のフォトセンサは、外乱光の影響を受けやすい特性を有するので、外部からの光は極力遮断することが好ましい。
【００４８】
（９）４つの硬貨収容筒２２は全て同一の形状とした。このため、硬貨収容筒２２を例えば合成樹脂材料の射出成型等により製造する際には、単一種類の射出成型を用意すればよい。このため、硬貨収容筒２２、ひいては硬貨払出装置１６の製造コストを低減させることができる。
【００４９】
＜他の実施形態＞
尚、前記実施の形態は、次のように変更して実施してもよい。
・運賃箱以外にも、券売機、自動販売機等に搭載するようにしてもよい。
【００５０】
・本実施の形態では、釣り銭が必要とされる場合に、各硬貨収容筒２２から釣り銭の金額に応じた硬貨Ｃが硬貨排出口１８に供給されるようにしたが、運賃箱１１に両替機能を持たせて硬貨排出口１８には、釣り銭ではなく両替後の硬貨Ｃを排出するようにしてもよい。この場合、投入口１３とは別に、両替用硬貨投入口を設ける。
【図面の簡単な説明】
【００５１】
【図１】本実施の形態における運賃箱の概略構成図。
【図２】同じく硬貨払出装置の概略斜視図。
【図３】同じく硬貨収容筒の斜視図。
【図４】同じく硬貨払出装置の要部正面図。
【図５】同じく硬貨払出装置の要部正断面図。
【図６】同じく図５における１−１線断面図。
【図７】同じく硬貨払出装置に固定された制御基板の正面図。
【図８】同じく硬貨払出装置の要部側面図。
【符号の説明】
【００５２】
１１…運賃箱、１５…硬貨識別装置、１６…硬貨払出装置、２１…枠体、
２１ａ…上壁（枠体壁）、２２…硬貨収容筒、２３…硬貨払出機構、２４…制御基板、
３２…フランジ、３３…センサ挿入孔（センサ装着部位）、
４１…挿通孔（筒装着部位）、４２…ブラケット、７１…硬貨検出センサ、
７３…払出検出センサ、７５…レバー、Ｃ…硬貨。
【図１】
2007183760.tif 000003
【図２】
2007183760.tif 000004
【図３】
2007183760.tif 000005
【図４】
2007183760.tif 000006
【図５】
2007183760.tif 000007
【図６】
2007183760.tif 000008
【図７】
2007183760.tif 000009
【図８】
2007183760.tif 000010